(57)【要約】      （修正有）【課題】明視性を損なうことなくサーカディアンリズムを考慮した光を射出することができる照明システムを提供する。【解決手段】照明システム１は、屋内の空間に照明光を射出するベース照明装置３と、空間を演出するための演出光を空間に射出する演出照明装置２０と、屋外の環境光に基づいて演出照明装置２０による演出光の射出を制御する制御部４と、を備える。【選択図】図１
2020064743.tif 000002
【特許請求の範囲】
【請求項１】
屋内の空間に照明光を射出するベース照明装置と、
前記空間を演出するための演出光を前記空間に射出する演出照明装置と、
屋外の環境光に基づいて前記演出照明装置による前記演出光の射出を制御する制御部と、を備える照明システム。
【請求項２】
前記制御部は、前記演出光の射出の制御として、前記環境光の色温度に基づく前記演出光の色温度の制御を行う、請求項１に記載の照明システム。
【請求項３】
前記制御部は、前記演出光の色温度の制御として、前記環境光の色温度の増減に応じて前記演出光の色温度を増減させる制御を行う、請求項２に記載の照明システム。
【請求項４】
前記ベース照明装置は、前記環境光の色温度が増減した場合でも、前記照明光の色温度を維持する、請求項３に記載の照明システム。
【請求項５】
前記環境光の色温度は、太陽の色温度である、請求項２〜４のいずれか１項に記載の照明システム。
【請求項６】
前記制御部は、前記演出光の射出の制御として、前記環境光の輝度および照度の少なくとも一方に基づく前記演出光の輝度および照度の少なくとも一方の制御を行う、請求項１に記載の照明システム。
【請求項７】
前記制御部は、前記演出光の輝度および照度の少なくとも一方の制御として、前記環境光の輝度および照度の少なくとも一方の増減に応じて前記演出光の輝度および照度の少なくとも一方を増減させる制御を行う、請求項６に記載の照明システム。
【請求項８】
前記ベース照明装置は、前記環境光の輝度および照度の少なくとも一方が増減した場合でも、前記照明光の輝度および照度を維持する、請求項７に記載の照明システム。
【請求項９】
前記制御部は、前記演出光の輝度および照度の少なくとも一方の制御として、前記照明光の輝度よりも前記演出光の輝度を低くする制御を行う、請求項７または８に記載の照明システム。
【請求項１０】
前記環境光に関する情報を取得する取得部を更に備え、
前記制御部は、前記取得部の取得情報に基づいて前記演出光の射出の制御を行う、請求項１〜９のいずれか１項に記載の照明システム。
【請求項１１】
前記環境光に関する情報は、時刻、前記環境光の色温度、前記環境光の輝度および前記環境光の照度の少なくとも１つを含む、請求項１０に記載の照明システム。
【請求項１２】
前記取得部は、前記環境光に関する情報を検出する検出器である、請求項１０または１１に記載の照明システム。
【請求項１３】
前記取得部は、通信によってサーバから前記環境光に関する情報を取得する通信器である、請求項１０または１１に記載の照明システム。
【請求項１４】
前記演出照明装置は、前記空間を囲む部屋の天井または壁に位置し、前記天井または壁に沿った発光面を有する光学部材を備える、請求項１〜１３のいずれか１項に記載の照明システム。
【請求項１５】
前記天井または壁に位置し、前記光学部材を隠蔽する化粧シートを更に備える、請求項１４に記載の照明システム。
【請求項１６】
前記空間の利用者の状態を取得する第２の取得部を更に備え、
前記制御部は、前記環境光に基づいて前記演出光の射出を制御した後に、前記第２の取得部で取得された前記利用者の状態に基づいて前記演出光の射出を再制御する、請求項１〜１５のいずれか１項に記載の照明システム。
【請求項１７】
前記利用者の状態は、前記利用者の血圧、前記利用者の心拍、前記利用者のストレス度および前記利用者の疲労度の少なくとも一方を含む、請求項１６に記載の照明システム。
【請求項１８】
前記制御部は、前記演出光の射出の再制御として、前記利用者の状態が目標とする状態となるように、前記環境光の色温度、輝度および照度の少なくとも１つの増減に応じて増減させた前記演出光の色温度、輝度および照度の少なくとも１つを、更に増減させる制御を行う、請求項１６または１７に記載の照明システム。
【請求項１９】
前記制御部は、前記演出光の射出の再制御として、前記利用者の状態が目標とする状態となるように、前記環境光の色温度、輝度および照度の少なくとも１つの増減に応じて色温度、輝度および照度の少なくとも１つを増減させた前記演出光の、特定の波長の強度を増減させる制御を行う、請求項１６または１７に記載の照明システム。
【請求項２０】
前記第２の取得部は、前記利用者に装着された血圧計、心拍計および前記利用者を撮影するカメラの少なくとも一方を含む、請求項１６〜１９のいずれか１項に記載の照明システム。
【請求項２１】
前記演出照明装置は、前記天井に沿って隣り合うように複数配置され、
前記制御部は、前記演出光の射出の制御として、太陽の位置の変化に応じて前記複数の演出照明装置の発光面のうちの前記演出光の輝度が最大となる発光面または発光面の部分を変化させる制御を行う、請求項１４または１５に記載の照明システム。
【請求項２２】
前記制御部は、前記演出光の射出の制御として、前記輝度が最大となる発光面または発光面の部分以外の発光面または発光面の部分から射出される演出光の色温度を、前記輝度が最大となる発光面または発光面の部分から射出される演出光の色温度と異ならせる制御を行う、請求項２１に記載の照明システム。
【発明の詳細な説明】
【技術分野】
【０００１】
本開示は、照明システムに関する。
【背景技術】
【０００２】
サーカディアンリズムという体内リズムが存在し、このリズムが崩れることで、不眠や各種臓器の不調または疾患などの健康への悪影響が出ることが知られている。
【０００３】
そこで、近年は、サーカディアンリズムが崩れることを抑制するために、屋外の環境光と連動した屋内の照明光を提供するシステムが提案されている。例えば、特許文献１では、屋外の太陽光の照度に追従して屋内のＬＥＤ照明ユニットの照度を決定することで、疑似的に窓からの採光と同様の変化がある光を部屋に供給している。
【先行技術文献】
【特許文献】
【０００４】
【特許文献１】特開２０１１−１０８４９４号公報
【発明の概要】
【発明が解決しようとする課題】
【０００５】
しかしながら、特許文献１に開示された技術では、ＬＥＤ照明ユニットの照度によって屋内全体の明るさが決まるため、ＬＥＤ照明ユニットの照度が低いときには屋内の明視性が不十分になる虞がある。
【０００６】
本開示は、以上の点を考慮してなされたものであり、明視性を損なうことなくサーカディアンリズムを考慮した光を射出することができる照明システムを提供することを目的とする。
【課題を解決するための手段】
【０００７】
本開示による照明システムは、
屋内の空間に照明光を射出するベース照明装置と、
前記空間を演出するための演出光を前記空間に射出する演出照明装置と、
屋外の環境光に基づいて前記演出照明装置による前記演出光の射出を制御する制御部と、を備える照明システム。
【０００８】
本開示による照明システムにおいて、
前記制御部は、前記演出光の射出の制御として、前記環境光の色温度に基づく前記演出光の色温度の制御を行ってもよい。
【０００９】
本開示による照明システムにおいて、
前記制御部は、前記演出光の色温度の制御として、前記環境光の色温度の増減に応じて前記演出光の色温度を増減させる制御を行ってもよい。
【００１０】
本開示による照明システムにおいて、
前記ベース照明装置は、前記環境光の色温度が増減した場合でも、前記照明光の色温度を維持してもよい。
【００１１】
本開示による照明システムにおいて、
前記環境光の色温度は、太陽の色温度であってもよい。
【００１２】
本開示による照明システムにおいて、
前記制御部は、前記演出光の射出の制御として、前記環境光の輝度および照度の少なくとも一方に基づく前記演出光の輝度および照度の少なくとも一方の制御を行ってもよい。
【００１３】
本開示による照明システムにおいて、
前記制御部は、前記演出光の輝度および照度の少なくとも一方の制御として、前記環境光の輝度および照度の少なくとも一方の増減に応じて前記演出光の輝度および照度の少なくとも一方を増減させる制御を行ってもよい。
【００１４】
本開示による照明システムにおいて、
前記ベース照明装置は、前記環境光の輝度および照度の少なくとも一方が増減した場合でも、前記照明光の輝度および照度を維持してもよい。
【００１５】
本開示による照明システムにおいて、
前記制御部は、前記演出光の輝度および照度の少なくとも一方の制御として、前記照明光の輝度よりも前記演出光の輝度を低くする制御を行ってもよい。
【００１６】
本開示による照明システムにおいて、
前記環境光に関する情報を取得する取得部を更に備え、
前記制御部は、前記取得部の取得情報に基づいて前記演出光の射出の制御を行ってもよい。
【００１７】
本開示による照明システムにおいて、
前記環境光に関する情報は、時刻、前記環境光の色温度、前記環境光の輝度および前記環境光の照度の少なくとも１つを含んでもよい。
【００１８】
本開示による照明システムにおいて、
前記取得部は、前記環境光に関する情報を検出する検出器であってもよい。
【００１９】
本開示による照明システムにおいて、
前記取得部は、通信によってサーバから前記環境光に関する情報を取得する通信器であってもよい。
【００２０】
本開示による照明システムにおいて、
前記演出照明装置は、前記空間を囲む部屋の天井または壁に位置し、前記天井または壁に沿った発光面を有する光学部材を備えてもよい。
【００２１】
本開示による照明システムにおいて、
前記天井または壁に位置し、前記光学部材を隠蔽する化粧シートを更に備えてもよい。
【００２２】
本開示による照明システムにおいて、
前記空間の利用者の状態を取得する第２の取得部を更に備え、
前記制御部は、前記環境光に基づいて前記演出光の射出を制御した後に、前記第２の取得部で取得された前記利用者の状態に基づいて前記演出光の射出を再制御してもよい。
【００２３】
本開示による照明システムにおいて、
前記利用者の状態は、前記利用者の血圧、前記利用者の心拍、前記利用者のストレス度および前記利用者の疲労度の少なくとも一方を含んでもよい。
【００２４】
本開示による照明システムにおいて、
前記制御部は、前記演出光の射出の再制御として、前記利用者の状態が目標とする状態となるように、前記環境光の色温度、輝度および照度の少なくとも１つの増減に応じて増減させた前記演出光の色温度、輝度および照度の少なくとも１つを、更に増減させる制御を行ってもよい。
【００２５】
本開示による照明システムにおいて、
前記制御部は、前記演出光の射出の再制御として、前記利用者の状態が目標とする状態となるように、前記環境光の色温度、輝度および照度の少なくとも１つの増減に応じて色温度、輝度および照度の少なくとも１つを増減させた前記演出光の、特定の波長の強度を増減させる制御を行ってもよい。
【００２６】
本開示による照明システムにおいて、
前記第２の取得部は、前記利用者に装着された血圧計、心拍計および前記利用者を撮影するカメラの少なくとも一方を含んでもよい。
【００２７】
本開示による照明システムにおいて、
前記演出照明装置は、前記天井に沿って隣り合うように複数配置され、
前記制御部は、前記演出光の射出の制御として、太陽の位置の変化に応じて前記複数の演出照明装置の発光面のうちの前記演出光の輝度が最大となる発光面または発光面の部分を変化させる制御を行ってもよい。
【００２８】
本開示による照明システムにおいて、
前記制御部は、前記演出光の射出の制御として、前記輝度が最大となる発光面または発光面の部分以外の発光面または発光面の部分から射出される演出光の色温度を、前記輝度が最大となる発光面または発光面の部分から射出される演出光の色温度と異ならせる制御を行ってもよい。
【発明の効果】
【００２９】
本開示によれば、明視性を損なうことなくサーカディアンリズムを考慮した光を射出することができる。
【図面の簡単な説明】
【００３０】
【図１】図１は、本実施形態による照明システムを示す斜視図である。
【図２】図２は、本実施形態による照明システムを示すブロック図である。
【図３】図３は、本実施形態による照明システムを示す断面図である。
【図４】図４は、本実施形態による照明システムに含まれる演出照明装置を示す正面図である。
【図５】図５は、本実施形態による照明システムに含まれる面光源装置を示す拡大断面図である。
【図６】図６は、本実施形態による照明システムの動作例を示すフローチャートである。
【図７】図７は、本実施形態の第１の変形例による照明システムの動作例を示すフローチャートである。
【図８】図８は、本実施形態の第２の変形例による照明システムの動作例を示すフローチャートである。
【図９】図９は、本実施形態の第３の変形例による照明システムを示すブロック図である。
【図１０】図１０は、本実施形態の第４の変形例による照明システムを示すブロック図である。
【図１１】図１１は、本実施形態の第４の変形例による照明システムの動作例を示すフローチャートである。
【図１２】図１２は、本実施形態の第５の変形例による照明システムの動作例を示すフローチャートである。
【図１３】図１３は、本実施形態の第６の変形例による照明システムの動作例を示すフローチャートである。
【図１４】図１４は、本実施形態の第６の変形例による照明システムの動作例を示す図である。
【図１５】図１５は、本実施形態の第７の変形例による照明システムを示す斜視図である。
【図１６】図１６は、本実施形態の第７の変形例による照明システムを示す断面図である。
【図１７】図１７は、本実施形態の第８の変形例による照明システムに含まれる面光源装置を示す拡大断面図である。
【図１８】図１８は、本実施形態の第９の変形例による照明システムに含まれる面光源装置を示す拡大断面図である。
【図１９】図１９は、本実施形態の第１０の変形例による照明システムに含まれる面光源装置を示す拡大断面図である。
【発明を実施するための形態】
【００３１】
以下、図面を参照して本実施形態による照明システムについて説明する。なお、本件明細書に添付する図面においては、図示と理解のしやすさの便宜上、適宜縮尺および縦横の寸法比等を、実物のそれらから変更し誇張してある。
【００３２】
また、本明細書において、「シート」、「フィルム」、「板」の用語は、呼称の違いのみに基づいて、互いから区別されるものではない。例えば、「板」はシートやフィルムと呼ばれ得るような部材も含む概念である。
【００３３】
また、本明細書における「上下方向」は、鉛直方向に平行な面内において水平方向と非平行な方向であり、必ずしも鉛直方向とは一致しない。「上」とは、上下方向における一方であって、鉛直方向における「上」に近接する側又は方のことを指す。「下」とは、上下方向における「上」とは反対の側であって、鉛直方向における「下」に近接する側又は方のことを指す。
【００３４】
先ず、図１〜図６を参照して、本実施形態による照明システムについて説明する。図１は、本実施形態による照明システム１を示す斜視図である。図２は、本実施形態による照明システ１ムを示すブロック図である。図３は、本実施形態による照明システム１を示す断面図である。図４は、本実施形態による照明システム１に含まれる演出照明装置２０を示す正面図である。図５は、本実施形態による照明システム１に含まれる面光源装置２１を示す拡大断面図である。図６は、本実施形態による照明システム１の動作例を示すフローチャートである。
【００３５】
図１〜図６の例において、照明システム１は、天井ＣＥと、側壁Ｗと、床Ｆとで囲まれた部屋に備えられ、部屋内の空間Ｓを照明および演出するために用いることができる。
【００３６】
照明システム１は、屋内の空間Ｓに照明光Ｌｘを射出するベース照明装置３と、空間Ｓを演出するための演出光Ｌを空間Ｓに射出する複数の演出照明装置２０と、制御部４と、取得部および検出器の一例である環境光情報検出器５とを備える。複数の演出照明装置２０は、天井ＣＥに沿って隣り合うように配置されている。
【００３７】
照明システム１の導入のしやすさの観点から、天井ＣＥはシステム天井であることが好ましい。システム天井とは、天井の仕上板と天井に設置される設備機器とを一体に組み立てる天井のことである。従来型の天井は、下地にボードを貼り、設備機器は後からセットする方式であるのに対して、システム天井は、天井面のランナーや枠に予め一体に組み立てられたボードと設備機器とをはめ込んでセットする方式である。
【００３８】
演出照明装置２０は、空間Ｓを囲む部屋の天井ＣＥに位置し、面光源装置２１と、化粧シート６と、支持フレーム７とを備える。面光源装置２１は、空間Ｓの利用者に直接視認されないように化粧シート６によって空間Ｓから隠蔽されている。
【００３９】
（面光源装置２１）
以下、面光源装置２１について詳しく説明する。面光源装置２１は、天井ＣＥに設けられ、空間Ｓに演出光Ｌを射出する。
【００４０】
図３に示すように、面光源装置２１は、天井ＣＥに沿った発光面２１０ａを有し、光源である発光体２２０から射出した光を面状光に変換する光学部材２１０を備える。
【００４１】
面光源装置２１は、照明装置２０の最下面となる化粧面を形成する化粧シート６で覆われている。空間Ｓの明るさ向上を主目的としたベース照明装置３とは別途に、面光源装置２１によって化粧シート６を透過照明することで、光源の存在感を効果的に薄めた状態にて、空間Ｓを演出することができ、これにより、空間Ｓの雰囲気を効果的に高めて、空間Ｓの利用者に所望の心理状態を生じさせることができる。
【００４２】
図５に示すように、面光源装置２１は、エッジライト型の面光源装置２１として構成されている。この面光源装置２１は、発光体２２０と、光学部材２１０とを有している。光学部材２１０は、光拡散シート２１２と、反射シート２１３と、導光板２１１と、を有している。なお、面光源装置２１は、例えば、直下型ＬＥＤを用いた面光源装置、ＥＬ（Electro Luminescence）シートを用いた面光源装置等を用いてもよいし、上記のいずれかとエッジライト方式の面光源装置との組合せにより構成されてもよい。また、図３に示すように、面光源装置２１は、発光体２２０が光学部材２１０よりも側壁Ｗ側に位置するように配置されていてもよい。
【００４３】
発光体２２０は、光を発光する。発光体２２０の具体的な態様は特に限定されることなく、少なくとも２色の光を選択的に発光できる種々の部材を広く用いることができる。具体的には、例えば、冷陰極管、点状のフルカラー発光ダイオード（ＬＥＤ）、白熱電球、レーザー発振装置等を、発光体２２０として用いることができる。図３および図４に示された例において、発光体２２０は、支持フレーム７によって支持されている。図４に示すように、発光体２２０は、支持フレーム７の長手方向すなわち図４の左右方向に沿って、間隔をあけて複数配列されている。支持フレーム７は、複数の発光体２２０とともに光学部材２１０から取り外し可能であってもよい。この場合、複数の発光体２２０の一部又は全部の交換作業を行うことができる。
【００４４】
なお、演出照明装置２０から射出された演出光Ｌの色が、人間の心理状態に影響を及ぼすことが知られている。例えば、若草色の照明光や赤紫色の照明光を用いて空間Ｓを照明した場合、空間Ｓの利用者に活気を生じさせるとされている。同様に、藤色の照明光やあやめ色の照明光を用いた場合、利用者から眠気を取り除く効果があるとされている。また、肌色の照明光を用いた場合、利用者に集中を引き起こす効果があるとされている。さらに、檸檬色の照明光や肌色の照明光を用いた場合、利用者に快適さを付与して利用者をリラックス状態とする効果があるとされている。
【００４５】
照明システム１は、このような演出照明装置２０の演出光Ｌによって利用者の心理状態に積極的に働きかけ、利用者の心理状態に効果的に影響を及ぼすことを目的としている。
【００４６】
図示された例では、面光源装置２１の各発光体２２０から射出する光が演出光Ｌとなる。したがって、所望の心理状態を利用者に生じさせるため、各発光体２２０は、所望する心理状態に対応した波長域の光を射出できるよう、光の色が選択可能となっている。一例として、各発光体２２０は、互いに異なる波長域の光を発光可能な複数種類の発光体２２０である。この場合、各発光体２２０の出力を調整することで、加法混色により、種々の色の照明光で照明を行うことが可能となる。典型的には、赤色の光を射出可能な発光体２２０と、緑色の光を射出可能な発光体２２０と、青色の光を射出可能な発光体２２０とを含むことで、面光源装置２１での演出光Ｌの色を、色度図上の全範囲の色から選択可能とすることが可能となる。面光源装置２１は、更に、白色の光を射出可能な発光体２２０を含んでもよい。
【００４７】
導光板２１１は、一対の主面２１１ａ，２１１ｂと、一対の主面２１１ａ，２１１ｂ間に位置する側面と、を有した板状の部材である。一方の主面が出光面２１１ａをなし、他方の主面が裏面２１１ｂをなしている。主面２１１ａ，２１１ｂは、典型的には、平面視矩形形状となる。
【００４８】
図５に示すように、導光板２１１の側面の１つは、発光体２２０から射出された光が入光する入光面２１１ｄとなっている。入光面２１１ｄは、支持フレーム７の長手方向に沿って延びている。入光面２１１ｄは、支持フレーム７に保持された複数の発光体２２０に対面している。複数の発光体２２０は、入光面２１１ｄの長手方向に沿って間隔をあけて配列されている。
【００４９】
導光板２１１の主面２１１ｂには、光を取り出す取出要素として機能する凹部２１１ｃが設けられている。凹部２１１ｃは、入光面２１１ｄから入射して導光板２１１内を進む光Ｌ１，Ｌ２の進行方向を変化させる。より詳しくは、発光体２２０から射出された光Ｌ１，Ｌ２は、導光板２１１に入射した後に、導光板２１１の主面２１１ａ、２１１ｂで内部反射とりわけ全反射することで当該導光板２１１内を進む。導光板２１１内を進む光Ｌ１，Ｌ２は、凹部２１１ｃによって進行方向を変化させること、とりわけ散乱することで、導光板２１１の一対の主面２１１ａ，２１１ｂに全反射臨界角度未満の入射角度で入射して導光板２１１から出射することが可能となる。
【００５０】
凹部２１１ｃで進行方向を変えられた光は、一対の主面２１１ａ，２１１ｂのいずれかを介して、導光板２１１から出射する。導光板２１１の出光面２１１ａに対面して、光拡散シート２１２が設けられている。導光板２１１の出光面２１１ａから出射されたた光Ｌ１，Ｌ２は、次に、この光拡散シート２１２に入射する。光拡散シート２１２は、光拡散機能を有しており、透過光に起因した輝度角度分布を整えることができる。光拡散シート２１２は、光学部材２１０の発光面２１０ａを形成している。光拡散シート２１２で拡散された光は、光学部材２１０から射出して化粧シート６に向かう。光拡散シート２１２には、光拡散機能を発揮し得る種々の構成を採用することができる。光拡散シート２１２が有する拡散特性は、等方性であってもよいし、異方性であってもよい。
【００５１】
導光板２１１の裏面２１１ｂに対面して、反射シート２１３が設けられている。反射シート２１３は、裏面２１１ｂから出射された光を反射して、導光板２１１及び光拡散シート２１２へ向けることができる。反射シート２１３を設けることで、光学部材２１０の発光面２１０ａからの出射光量を増大させることができる。これにより、発光体２２０から射出した光の利用効率を向上させることができる。反射シート２１３には、光反射機能を発揮し得る種々の構成を採用することができる。反射シート２１３の反射特性は、正反射であってもよいし、拡散反射であってもよい。反射シート２１３が有する拡散反射特性は、等方性であってもよいし、異方性であってもよい。
【００５２】
なお、図１および図３の例において、発光面２１０ａの或る位置からの出射光量は、発光面２１０ａに沿った水平方向における側壁Ｗ側すなわち発光体２２０側に位置する発光面２１０ａの他の或る位置からの出射光量よりも少なくてもよい。この場合、発光面２１０ａの出射光量は、側壁Ｗすなわち発光体２２０から離れるにしたがって連続的に減少してもよい。このような構成は、例えば、図５で説明した導光板２１１の凹部２１１ｃの水平方向における分布を制御することで具現化することができる。
【００５３】
（化粧シート６）
図１および図３に示すように、化粧シート６は、空間Ｓに露出するように天井ＣＥに位置し、面光源装置２１すなわち光学部材２１０を隠蔽している。化粧シート６は、演出照明装置２０の最出光側の面を形成する。化粧シート６として、例えば、建築物の壁紙や、天井の内装材を用いることができる。
【００５４】
化粧シート６は、光学部材２１０の発光面２１０ａに対面し、光学部材２１０によって背面側から光を照射される。化粧シート６は、可視光透過性を有している。このため、光学部材２１０の発光面２１０ａから射出した光は、化粧シート６を透過することができる。このように化粧シート６が透過照明されることから、例えば、透過率の比較的高い白色系の壁紙が化粧シート６として好適に用いられる。ただし、透過率の比較的低い壁紙、例えば木目調の壁紙でも十分有効に透過照明されて空間Ｓの雰囲気の演出効果を奏することができるので、化粧シート６の柄等は特に限定されるものではない。化粧シート６の可視光線透過率は、１．０％以上であることが好ましく、５.０％以上であることがより好ましい。また、面光源装置２１の存在感を無くす観点から、化粧シート６の可視光線透過率は、２０％以下であることが好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。
【００５５】
（ベース照明装置３）
次に、ベース照明装置３について説明する。図１および図３に示すように、ベース照明装置３は、天井ＣＥに取り付けられ、照明光Ｌｘを空間Ｓに上方から放出する。ベース照明装置３は、天井ＣＥに固定されていてもよいし、天井ＣＥから吊り下げられていてもよい。ベース照明装置３は、人の視覚を通した空間Ｓ内の把握を補助するものである。したがって、ベース照明装置３として、一般的な、室内照明用の器具を用いることができる。ベース照明装置３から射出する照明光Ｌｘは、特に限定されないが、白色系とすることで自然な照明を可能とすることができる。
【００５６】
（環境光情報検出器５）
次に、環境光情報検出器５について説明する。環境光情報検出器５は、屋外の環境光に関する情報を検出することで、当該環境光に関する情報を取得する。以下、屋外の環境光に関する情報のことを、環境光情報とも呼ぶ。環境光とは、屋外環境の光であり、典型的には太陽光である。環境光情報検出器５は、検出された環境光情報を制御部４に出力する。
【００５７】
環境光情報は、例えば、時刻または環境光の色温度や、色度である。
【００５８】
環境光情報検出器５は、例えば、時刻を検出する時計または環境光の色温度を検出する色温度計や色度計で構成することができる。環境光情報検出器５を色温度計で構成する場合、環境光の色温度を検出できるように、色温度計は、例えば、屋外に配置される。色温度計を屋内における窓の近くに配置してもよい。
【００５９】
（制御部４）
次に、制御部４について説明する。制御部４は、屋外の環境光に基づいて、演出照明装置２０による演出光Ｌの射出を制御する。図１〜図３の例において、制御部４は、環境光情報検出器５で検出すなわち取得された環境光情報に基づいて、演出光Ｌの射出の制御を行う。
【００６０】
より詳しくは、制御部４は、演出光Ｌの射出の制御として、環境光の色温度に基づく演出光Ｌの色温度の制御を行う。環境光の色温度は、例えば、太陽の色温度である。制御部４は、演出光Ｌの色温度の制御として、環境光の色温度の増減に応じて演出光Ｌの色温度を増減させる制御を行ってもよい。一方、空間Ｓの明視性を確保するため、ベース照明装置３は、環境光の色温度が増減した場合でも、照明光Ｌｘの色温度を維持する。
【００６１】
制御部４は、図示しない電源から面光源装置２１の発光体２２０に供給される電力を制御することで、演出光Ｌの射出を制御する。演出光Ｌの射出の制御は、例えば、発光体２１０に供給する電力と、色温度などの演出光Ｌの制御対象となる物理量との対応関係が記述されたテーブルや関数に基づいて行ってもよい。
【００６２】
制御部４は、例えば、コンピュータ等のハードウェアで構成される。制御部４の少なくとも一部をソフトウェアで構成してもよい。また、制御部４は、その一部の構成部が、他の構成部との間でネットワークを通じた通信によって連携可能であってもよい。また、制御部４は、その一部の構成部が、他の構成部との間で外部ネットワークを通じて通信可能な装置、例えばクラウド上のサーバやデータベース上にあってもよい。また、制御部４は、その全部が演出照明装置２０の外部に配置されていてもよく、または、その少なくとも一部が演出照明装置２０の内部に配置されていてもよい。
【００６３】
（動作例）
次に、照明システム１の動作例について、図６のフローチャートを参照して説明する。図６のフローチャートは、必要に応じて繰り返される。
【００６４】
なお、図６の初期状態において、演出照明装置２０は、所定の色温度で演出光Ｌを射出しており、また、ベース照明装置３は、一定の色温度で照明光Ｌｘを射出しているものとする。初期状態における演出光Ｌの色温度は、環境光情報検出器５で検出された環境光の色温度に対応して制御部４で設定された色温度であってもよく、または、動作開始時のデフォルトの色温度であってもよい。
【００６５】
そして、初期状態から、先ず、環境光情報検出器５は、環境光情報として環境光の色温度を検出して取得する（ステップＳ１）。環境光情報検出器５は、例えば、一定の時間間隔で連続的に環境光の色温度を取得する。なお、環境光情報検出器５は、環境光情報として時刻を検出してもよい。
【００６６】
環境光の色温度が取得された後、制御部４は、取得された環境光の色温度に基づいて、環境光の色温度が増加したか否かを判定する（ステップＳ２）。なお、制御部４は、環境光情報として時刻を取得した場合、取得された時刻に基づいて環境光の色温度を推定し、推定された色温度に基づいて環境光の色温度が増加したか否かを判定すればよい。時刻に基づいた環境光の色温度の推定は、例えば、時刻と色温度との対応関係が記述されたテーブルや関数に基づいて行ってもよい。
【００６７】
環境光の色温度が増加した場合（ステップＳ２：Ｙｅｓ）、制御部４は、演出光Ｌの色温度の増加制御を行う（ステップＳ３）。
【００６８】
一方、環境光の色温度が増加しない場合（ステップＳ２：Ｎｏ）、制御部４は、取得された環境光の色温度に基づいて、環境光の色温度が減少したか否かを判定する（ステップＳ４）。
【００６９】
環境光の色温度が減少した場合（ステップＳ４：Ｙｅｓ）、制御部４は、演出光Ｌの色温度の減少制御を行う（ステップＳ５）。
【００７０】
一方、環境光の色温度が減少しない場合（ステップＳ４：Ｎｏ）、制御部４は、演出光Ｌの色温度の維持制御を行う（ステップＳ６）。
【００７１】
演出光Ｌの色温度を増減または維持する過程で、ベース照明装置３は、照明光Ｌｘの色温度を維持する（ステップＳ７）。ベース照明装置３は、色温度を含めた照明光Ｌｘの全ての照射条件を維持してもよい。なお、演出光Ｌの色温度および照明光Ｌｘの色温度は、色温度計を用いて測定することができる。
【００７２】
本実施形態による照明システム１によれば、屋外の環境光に左右されずに安定的に空間Ｓに照明光Ｌｘを射出するベース照明装置３によって空間Ｓの明視性を確保する一方で、制御部４によって屋外の環境光に基づいて演出照明装置２０による演出光Ｌの射出を制御することで、サーカディアンリズムを考慮した演出光Ｌを射出することができる。すなわち、照明システム１によれば、明視性を損なうことなくサーカディアンリズムを考慮した光を射出することができる。
【００７３】
より詳しくは、環境光情報にかかわらず照明光Ｌｘの色温度を維持しながら、環境光情報に基づいて環境光の色温度に演出光Ｌの色温度を近づけることで、より効果的に、明視性を損なうことなくサーカディアンリズムが崩れることを抑制することができる。
【００７４】
また、化粧シート６によって面光源装置２１を隠蔽することで、面光源装置２１の存在感を効果的に薄めることができるので、空間Ｓの雰囲気を効果的に演出することができる。
【００７５】
また、天井ＣＥには、照明用の配線が既設されていることが多いため、既存の配線を活用して低コストで演出照明装置２０を天井に設置することができる。また、システム天井の場合には、より簡易的に演出照明装置２０を設置することができる。
【００７６】
本開示による照明システム１は、図１〜図６に示した構成に限定されず、以下の各変形例に示すように種々変更できる。なお、以下の説明では、上述の実施の形態における対応する部分に対して用いた符号と同一の符号を用いるとともに、重複する説明を省略する。
【００７７】
（第１の変形例）
図７は、本実施形態の第１の変形例による照明システム１の動作例を示すフローチャートである。
【００７８】
図６では、環境光の色温度に基づいて演出光Ｌの色温度を制御する例について説明した。これに対して、第１の変形例における照明システム１は、環境光の輝度に基づいて演出光Ｌの輝度を制御する。
【００７９】
具体的には、図７に示すように、先ず、環境光情報検出器５は、環境光情報として環境光の輝度を検出することで、環境光の輝度を取得する（ステップＳ１ａ）。環境光情報検出器５は、例えば、輝度計で構成することができる。環境光の輝度を検出できるように、輝度計は、例えば、屋外に配置される。輝度計を屋内における窓の近くに配置してもよい。
【００８０】
環境光の輝度が取得された後、制御部４は、取得された環境光の輝度に基づいて、環境光の輝度が増加したか否かを判定する（ステップＳ２ａ）。なお、制御部４は、環境光情報として時刻を取得してもよい。この場合、制御部４は、取得された時刻に基づいて環境光の輝度を推定し、推定された輝度に基づいて環境光の輝度が増加したか否かを判定すればよい。時刻に基づいた環境光の輝度の推定は、例えば、時刻と輝度との対応関係が記述されたテーブルや関数に基づいて行ってもよい。
【００８１】
環境光の輝度が増加した場合（ステップＳ２ａ：Ｙｅｓ）、制御部４は、演出光Ｌの輝度の増加制御を行う（ステップＳ３ａ）。
【００８２】
一方、環境光の輝度が増加しない場合（ステップＳ２ａ：Ｎｏ）、制御部４は、取得された環境光の輝度に基づいて、環境光の輝度が減少したか否かを判定する（ステップＳ４ａ）。
【００８３】
環境光の輝度が減少した場合（ステップＳ４ａ：Ｙｅｓ）、制御部４は、演出光Ｌの輝度の減少制御を行う（ステップＳ５ａ）。
【００８４】
一方、環境光の輝度が減少しない場合（ステップＳ４ａ：Ｎｏ）、制御部４は、演出光Ｌの輝度の維持制御を行う（ステップＳ６ａ）。
【００８５】
演出光Ｌの輝度を増減または維持する過程で、ベース照明装置３は、照明光Ｌｘの輝度を維持する（ステップＳ７ａ）。ベース照明装置３は、輝度を含めた照明光Ｌｘの全ての照射条件を維持してもよい。なお、演出光Ｌの輝度および照明光Ｌｘの輝度は、輝度計を用いて測定することができる。
【００８６】
また、制御部４は、演出光Ｌの輝度の制御において、照明光Ｌｘの輝度よりも演出光Ｌの輝度を低くしてもよい。この場合、制御部４は、演出目的に応じて演出光Ｌの輝度を照明光Ｌｘの輝度の１／１０以下、または１／５０以下、さらには１／１００以下に制御してもよい。
【００８７】
第１の変形例によれば、環境光の輝度にかかわらず照明光Ｌｘの輝度を維持しながら、環境光の輝度に演出光Ｌの輝度を近づけることで、明視性を損なうことなくサーカディアンリズムが崩れることを効果的に抑制することができる。
【００８８】
また、演出光Ｌの輝度を照明光Ｌｘの輝度よりも低くすることで、明視性を更に有効に確保することができるとともに、面光源装置２１の存在感をより効果的に薄めて空間Ｓの雰囲気をより効果的に演出することができる。
【００８９】
なお、第１の変形例は、図６のフローチャートと組み合わせてもよい。その場合、環境光の輝度および色温度にかかわらず照明光Ｌｘの輝度および色温度を維持しながら、環境光の輝度および色温度に演出光Ｌの輝度および色温度を近づけることで、より効果的に、明視性を損なうことなくサーカディアンリズムが崩れることを抑制することができる。
【００９０】
（第２の変形例）
図８は、本実施形態の第２の変形例による照明システム１の動作例を示すフローチャートである。
【００９１】
図６では、環境光の色温度に基づいて演出光Ｌの色温度を制御する例について説明し、図７では、環境光の輝度に基づいて演出光Ｌの輝度を制御する例について説明した。これに対して、第２の変形例における照明システム１は、環境光の照度に基づいて演出光Ｌの照度を制御する。
【００９２】
具体的には、図８に示すように、先ず、環境光情報検出器５は、環境光情報として環境光の照度を検出することで、環境光の照度を取得する（ステップＳ１ｂ）。環境光情報検出器５は、例えば、照度計で構成することができる。環境光の照度を検出できるように、照度計は、例えば、屋外に配置される。照度計を屋内における窓の近くに配置してもよい。
【００９３】
環境光の照度が取得された後、制御部４は、取得された環境光の照度に基づいて、環境光の照度が増加したか否かを判定する（ステップＳ２ｂ）。なお、制御部４は、環境光情報として時刻を取得してもよい。この場合、制御部４は、取得された時刻に基づいて環境光の照度を推定し、推定された照度に基づいて環境光の照度が増加したか否かを判定すればよい。時刻に基づいた環境光の照度の推定は、例えば、時刻と照度との対応関係が記述されたテーブルや関数に基づいて行ってもよい。
【００９４】
環境光の照度が増加した場合（ステップＳ２ｂ：Ｙｅｓ）、制御部４は、演出光Ｌの照度の増加制御を行う（ステップＳ３ｂ）。
【００９５】
一方、環境光の照度が増加しない場合（ステップＳ２ｂ：Ｎｏ）、制御部４は、取得された環境光の照度に基づいて、環境光の照度が減少したか否かを判定する（ステップＳ４ｂ）。
【００９６】
環境光の照度が減少した場合（ステップＳ４ｂ：Ｙｅｓ）、制御部４は、演出光Ｌの照度の減少制御を行う（ステップＳ５ｂ）。
【００９７】
一方、環境光の照度が減少しない場合（ステップＳ４ｂ：Ｎｏ）、制御部４は、演出光Ｌの照度の維持制御を行う（ステップＳ６ｂ）。
【００９８】
演出光Ｌの照度を増減または維持する過程で、ベース照明装置３は、照明光Ｌｘの照度を維持する（ステップＳ７ｂ）。ベース照明装置３は、照度を含めた照明光Ｌｘの全ての照射条件を維持してもよい。なお、演出光Ｌの照度および照明光Ｌｘの照度は、照度計を用いて測定することができる。
【００９９】
第２の変形例によれば、環境光の照度にかかわらず照明光Ｌｘの照度を維持しながら、環境光の照度に演出光Ｌの照度を近づけることで、明視性を損なうことなくサーカディアンリズムが崩れることを効果的に抑制することができる。
【０１００】
なお、第２の変形例は、図６のフローチャートまたは第１の変形例もしくはこれらの双方と組み合わせてもよい。その場合、環境光の照度、色温度、輝度にかかわらず照明光Ｌｘの照度、色温度、輝度を維持しながら、環境光の照度、色温度、輝度に演出光Ｌの照度、色温度、輝度を近づけることで、より効果的に、明視性を損なうことなくサーカディアンリズムが崩れることを抑制することができる。
【０１０１】
（第３の変形例）
図９は、本実施形態の第３の変形例による照明システム１を示すブロック図である。図１〜図６では、環境光情報検出器５で検出された環境光情報に基づいて演出照明装置２０による演出光Ｌの射出を制御する例について説明した。これに対して、第３の変形例における照明システム１は、通信によって取得された環境光情報に基づいて演出照明装置２０による演出光Ｌの射出を制御する。
【０１０２】
具体的には、図９に示すように、照明システム１は、図１〜図６に示した環境光情報検出器５の代わりに、取得部の一例である通信器５ａを備える。通信器５ａは、インターネット等の外部ネットワーク５ｂを介した通信によって、サーバ５ｃから環境光情報を取得し、取得された環境光情報を制御部４に出力する。
【０１０３】
制御部４は、通信器５ａから出力された環境光情報に基づいて、演出照明装置２０による演出光Ｌの射出を制御する。環境光情報の具体的な内容および環境光情報に基づく演出光Ｌの射出制御の具体的な内容は、図１〜図６、第１の変形例または第２の変形例で既に説明したとおりである。
【０１０４】
第３の変形例によれば、照明システム１の外部から環境光情報を取得することができるので、照明システム１が自ら環境光情報を検出することを要しない。これにより、照明システム１の設備コストを削減することができる。
【０１０５】
（第４の変形例）
図１０は、本実施形態の第４の変形例による照明システム１を示すブロック図である。これまでは、環境光情報のみを考慮して演出照明装置２０による演出光Ｌの射出を制御する例について説明した。これに対して、第４の変形例による照明システム１は、環境光情報に加えて、更に、空間Ｓの利用者の状態を考慮して、演出照明装置２０による演出光Ｌの射出を制御する。
【０１０６】
具体的には、図１０に示すように、第４の変形例における照明システム１は、図２の構成に加えて、更に、第２の取得部の一例である利用者状態検出器８を備える。
【０１０７】
利用者状態検出器８は、空間Ｓの利用者の状態を検出することで、空間Ｓの利用者の状態を取得する。以下、空間Ｓの利用者の状態のことを、利用者状態とも呼ぶ。利用者状態検出器８は、取得された利用者状態を制御部４に出力する。
【０１０８】
利用者状態は、利用者の血圧、利用者の心拍、利用者のストレス度および利用者の疲労度の少なくとも一方を含む。利用者状態検出器８は、例えば、利用者に装着された血圧計や、心拍計および利用者を撮影するカメラで構成してもよい。
【０１０９】
制御部４は、環境光情報に基づいて演出光Ｌの射出を制御した後に、利用者状態検出器８で取得された利用者状態に基づいて、演出光Ｌの射出を再制御する。
【０１１０】
より詳しくは、制御部４は、演出光Ｌの射出の再制御として、利用者の状態が目標とする状態となるように、環境光の色温度、輝度および照度の少なくとも１つの増減に応じて増減させた演出光Ｌの色温度、輝度および照度の少なくとも１つを、更に増減させる制御を行う。
【０１１１】
図１１は、本実施形態の第４の変形例による照明システム１の動作例を示すフローチャートである。例えば、図１１に示すように、環境光の色温度に基づいて演出光Ｌの色温度の増加制御（ステップＳ３）、減少制御（ステップＳ５）または維持制御（ステップＳ６）が行われた後、利用者状態検出器８は、利用者状態を取得する（ステップＳ８）。
【０１１２】
利用者状態が取得された後、制御部４は、取得された利用者状態が目標とする状態であるか否かを判定する（ステップＳ９）。
【０１１３】
利用者状態が目標とする状態である場合（ステップＳ９：Ｙｅｓ）、処理を終了する。
【０１１４】
一方、利用者状態が目標とする状態でない場合（ステップＳ９：Ｎｏ）、制御部４は、利用者状態に応じた演出光Ｌの色温度の増減制御を行う（ステップＳ１０）。
【０１１５】
例えば、環境光の色温度が朝日の色温度から昼間の太陽光の色温度へと増加し、この色温度の増加に応じて演出光Ｌの色温度を増加制御した後に、利用者の血圧が昼間における目標とする範囲の血圧まで上昇していない場合、制御部４は、演出光Ｌの色温度を更に増加制御してもよい。
【０１１６】
また、環境光の色温度が昼間の太陽光の色温度から夕日の色温度へと減少し、この色温度の減少に応じて演出光Ｌの色温度を減少制御した後に、利用者の血圧が夕方における目標とする範囲の血圧まで下降していない場合、制御部４は、演出光Ｌの色温度を更に減少制御してもよい。
【０１１７】
なお、第４の変形例は、第１の変形例の図７のフローチャートと組み合わせてもよい。その場合、環境光の輝度に基づいて演出光Ｌの輝度の増加制御（ステップＳ３ａ）、減少制御（ステップＳ５ａ）または維持制御（ステップＳ６ａ）が行われた後、利用者状態検出器８は、利用者状態を取得する。利用者状態が取得された後、制御部４は、取得された利用者状態が目標とする状態であるか否かを判定する。利用者状態が目標とする状態である場合、処理を終了する。一方、利用者状態が目標とする状態でない場合、制御部４は、利用者状態に応じた演出光Ｌの輝度の増減制御を行う。
【０１１８】
また、第４の変形例は、第２の変形例の図８のフローチャートと組み合わせてもよい。その場合、環境光の照度に基づいて演出光Ｌの照度の増加制御（ステップＳ３ｂ）、減少制御（ステップＳ５ｂ）または維持制御（ステップＳ６ｂ）が行われた後、利用者状態検出器８は、利用者状態を取得する。利用者状態が取得された後、制御部４は、取得された利用者状態が目標とする状態であるか否かを判定する。利用者状態が目標とする状態である場合、処理を終了する。一方、利用者状態が目標とする状態でない場合、制御部４は、利用者状態に応じた演出光Ｌの照度の増減制御を行う。
【０１１９】
第４の変形例によれば、環境光情報だけでなく利用者状態も考慮することで、環境光情報のみを考慮する場合と比較してサーカディアンリズムが崩れることをより効果的に抑制することができる。
【０１２０】
（第５の変形例）
図１２は、本実施形態の第５の変形例による照明システム１の動作例を示すフローチャートである。図１０および図１１では、利用者状態を考慮した演出光Ｌの射出の再制御として、演出光Ｌの色温度、輝度、照度を増減制御する例について説明した。これに対して、第５の変形例における照明システム１は、利用者状態を考慮した演出光Ｌの射出の再制御として、演出光Ｌの特定の波長の強度を増減制御する。
【０１２１】
具体的には、図１２に示すように、利用者状態が目標とする状態でない場合（ステップＳ９：Ｎｏ）、制御部４は、利用者状態に応じて演出光Ｌの特定波長の強度を増減制御する（ステップＳ１０ａ）。
【０１２２】
ここで、波長４６０ｎｍ付近の光は、サーカディアンリズムを調整する作用を有する人間のホルモンであるメラトニンを抑制することが知られている。また、メラトニンは、一酸化窒素合成を活性化させることで血管を拡張させて、血圧を低下させることが知られている。
【０１２３】
例えば、環境光の色温度が朝日の色温度から昼間の太陽光の色温度へと増加し、この色温度の増加に応じて演出光Ｌの色温度を増加制御した後に、利用者の血圧が昼間における目標とする範囲の血圧まで上昇していない場合、制御部４は、メラトニンが減少して血圧が上昇するように、演出光Ｌの特定波長の一例である４５０〜５００ｎｍの強度を増加制御してもよい。
【０１２４】
また、環境光の色温度が昼間の太陽光の色温度から夕日の色温度へと減少し、この色温度の減少に応じて演出光Ｌの色温度を減少制御した後に、利用者の血圧が夕方における目標とする範囲の血圧まで下降していない場合、制御部４は、メラトニンが増加して血圧が減少するように、演出光Ｌの波長４５０〜５００ｎｍの強度を減少制御してもよい。
【０１２５】
第５の変形例によれば、第４の変形例と同様に、環境光情報だけでなく利用者状態も考慮することで、環境光情報のみを考慮する場合と比較してサーカディアンリズムが崩れることをより効果的に抑制することができる。
【０１２６】
（第６の変形例）
図１３は、本実施形態の第６の変形例による照明システム１の動作例を示すフローチャートである。これまでは、環境光情報としての時刻、色温度、輝度、照度に基づいて演出光Ｌの射出を制御する例について説明した。これに対して、第６の変形例における照明システム１は、環境光情報としての太陽の位置に基づいて演出光Ｌの射出を制御する。
【０１２７】
具体的には、図１３に示すように、先ず、環境光情報検出器５は、太陽の位置を取得する（ステップＳ１１）。例えば、環境光情報検出器５は、異なる複数の方位を向くように屋外に設置された複数の輝度センサまたは照度センサを有し、センサの輝度または照度が最大となる方位を太陽の位置として取得してもよい。また、曇天や雨天の場合のように、太陽光を直接検出できない場合、環境光情報検出器５は、更に時刻を加味して太陽の位置を取得してもよい。あるいは、通信器５ａで、サーバ５ｃから現在時刻、日の出時刻、日の入り予測時刻を取得し、取得された時刻に基づいて太陽の位置を推定してもよい。
【０１２８】
太陽の位置が取得された後、制御部４は、複数の演出照明装置２０の発光面２１０ａのうち、取得された太陽の位置に対応する発光面２１０ａから射出される演出光Ｌの輝度を最大にする（ステップＳ１２）。
【０１２９】
次いで、制御部４は、環境光情報検出器５の検出結果に基づいて、太陽の位置が変化したか否かを判定する（ステップＳ１３）。
【０１３０】
太陽の位置が変化した場合（ステップＳ１３：Ｙｅｓ）、制御部４は、複数の演出照明装置２０の発光面２１０ａのうち、演出光Ｌの輝度を最大にする発光面２１０ａを変化させる（ステップＳ１４）。
【０１３１】
一方、太陽の位置が変化しない場合（ステップＳ１３：Ｎｏ）、制御部４は、複数の演出照明装置２０の発光面２１０ａのうち、演出光Ｌの輝度を最大にする発光面２１０ａを維持する（ステップＳ１５）。
【０１３２】
太陽の位置に応じて演出光Ｌの輝度を最大にする発光面２１０ａを変化させる過程で、制御部４は、演出光Ｌが最大輝度である発光面２１０ａ以外の発光面２１０ａから射出される演出光Ｌの色温度を、演出光Ｌが最大輝度である発光面２１０ａの色温度と異ならせる（ステップＳ１６）。例えば、制御部４は、演出光Ｌが最大輝度である発光面２１０ａ以外の発光面２１０ａから射出される演出光Ｌの色温度を、空の色温度に合わせる制御を行う。
【０１３３】
図１４は、本実施形態の第６の変形例による照明システム１の動作例を示す図である。第６の変形例によれば、図１４に示すように、東側から西側に向かう太陽の位置の変化すなわち時間経過に応じて、複数の発光面２１０ａのうちの図１４においてグレーで表されている演出光Ｌが最大輝度である発光面２１０ａを東側から西側に変化させることができる。
【０１３４】
なお、図１４の例では、演出光Ｌを最大輝度にする単位が発光面２１０ａの全体であるが、演出光Ｌを最大輝度にする単位は、発光面２１０ａの一部であってもよい。
【０１３５】
第６の変形例によれば、太陽の位置に演出光Ｌが最大輝度となる発光面２１０ａの位置を合わせることで、サーカディアンリズムが崩れることを効果的に抑制することができる。
【０１３６】
なお、制御部４は、太陽の位置に加えて、更に、上述したように、環境光の色温度、輝度、照度も考慮して演出光Ｌの射出を制御してもよい。
【０１３７】
（第７の変形例）
図１５は、本実施形態の第７の変形例による照明システム１を示す斜視図である。図１６は、本実施形態の第７の変形例による照明システム１を示す断面図である。
【０１３８】
これまでは、演出照明装置２０を天井ＣＥに配置した例について説明した。これに対して、第７の変形例における演出照明装置２０は、図１５および図１６に示すように側壁Ｗに配置されている。演出照明装置２０は、側壁Ｗに重ねられた状態で部屋の内壁材すなわち建材パネルとして機能してもよい。このような例において、演出照明装置２０の構成要素の全部または一部が、演出照明装置２０を作製するための組立キットとして取り扱われ、流通や販売されるようにしてもよい。或いは、演出照明装置２０が単独で、部屋の内壁をなすようにしてもよい。
【０１３９】
図１５および図１６の例において、演出照明装置２０の面光源装置２１は、床Ｆに対して垂直な鉛直方向ｄ１の上方ｄ１１に向かって延在する側壁Ｗのうち、上端側の位置に配置されている。ただし、面光源装置２１の配置位置は、図１５および図１６に示される例に限定されない。例えば、面光源装置２１は、側壁Ｗの下端側の位置に配置されていてもよく、または、側壁Ｗの鉛直方向ｄ１における中央側の位置に配置されていてもよい。また、側壁Ｗは、パーテーションで代用してもよい。
【０１４０】
図１６に示すように、面光源装置２１の光学部材２１０は、側壁Ｗに沿って配置されたボード５０上に固定されている。ボード５０は、演出照明装置２０の一部を構成している。より詳しくは、ボード５０の上端側の表面５ａには、側壁Ｗ側に向かって凹部５１が設けられており、この凹部５１内に光学部材２１０が収容されている。凹部５１内に収容された光学部材２１０は、留具９を介してボード５０に固定されている。なお、留具９に加えて又は代えて、接着剤や粘着剤などを含む接合層によって、ボード５０と光学部材２１０とを固定してもよい。光学部材２１０の具体的な態様は図５で説明したとおりである。図１６の例では、発光体２２０が光学部材２１０よりも上方ｄ１に位置するように面光源装置２１が配置されている。
【０１４１】
図１６の例において、化粧シート６は、光学部材２１０の発光面２１０ａと、発光面２１０ａに対して下方ｄ１２において隣接するボード５０の表面５ａとを覆っている。これにより、化粧シート６のうちの発光面２１０ａに対面する領域は、演出光Ｌを射出する発光領域Ｚ１となっており、また、化粧シート６のうちのボード５０の表面５ａに対面する領域は、演出光Ｌを射出しない非発光領域Ｚ２となっている。
【０１４２】
光学部材２１０の発光面２１０ａは、化粧シート６の非発光領域Ｚ２に対面するボード５０の表面５ａと同一面上に位置していることが好ましい。この場合、ボード５０の表面５ａと光学部材２１０の発光面２１０ａとの間に段差が形成されにくくなり、化粧シート６越しにこの段差が視認されることに起因した化粧シート６の意匠性低下を効果的に抑制することができる。さらには、演出照明装置２０の発光時に面光源装置２１の存在を効果的に目立たなくさせることができ、演出照明装置２０による空間Ｓの雰囲気を高める効果が顕著に奏されるようになる。
【０１４３】
ボード５０は、化粧シート６の用途に応じて決定される。一例として、ボード５０は、種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。ボード５０は、耐燃性や耐火性を有していることが好ましい。
【０１４４】
なお、図１６では、留具９の図示にともなって、化粧シート６が、ボード５０及び光学部材２１０との間に隙間を空けて図示されている。しかしながら、化粧シート６は、隙間を空けることなくボード５０及び光学部材２１０に貼合されるようにしてもよい。
【０１４５】
図１６の例において、発光体２２０を支持する支持フレーム７は、天井ＣＥと側壁Ｗとの取り合い部に設けられている。支持フレーム７は、天井ＣＥと側壁Ｗとのつなぎ目を覆い、演出照明装置２０の意匠性を向上させている。支持フレーム７として、「回り縁」や「幅木」と呼ばれる部材を用いることができる。
【０１４６】
図１５および図１６の例において、発光面２１０ａの或る位置からの出射光量は、発光面２１０ａに沿った鉛直方向ｄ１における上方ｄ１１に位置する発光面２１０ａの他の或る位置からの出射光量よりも少なくてもよい。この場合、発光面２１０ａの出射光量は、上方ｄ１１から下方ｄ１２に向かって連続的に減少してもよい。このような構成は、例えば、図５で説明した導光板２１１の凹部２１１ｃの鉛直方向ｄ１における分布を制御することで具現化することができる。
【０１４７】
発光面２１０ａの或る位置からの出射光量が当該位置よりも上方ｄ１１に位置する発光面２１０ａの他の或る位置からの出射光量よりも少ないことで、空間Ｓの雰囲気を効果的に高めることが可能となる。とりわけ、発光面２１０ａの鉛直方向ｄ１における下方ｄ１２の縁部での発光量を低減することで、発光面２１０ａと発光面２１０ａの外側の領域との間における光の継ぎ目を目立たなくすることができる。これにより、空間Ｓの雰囲気をより効果的に高めて、より確実に空間Ｓの利用者に望ましい心理状態を生じさせることが可能となる。
【０１４８】
面光源装置２１の存在を目立たなくさせるため、鉛直方向ｄ１に沿って発光面２１０ａからの出射光量が変化する例を説明した。しかしながら、この例に限られず、化粧シート６の発光領域Ｚ１からの出射光量を鉛直方向ｄ１に沿って変化させることで、面光源装置２１を目立たなくさせることができる。したがって、鉛直方向ｄ１に沿って、発光面２１０ａからの出射光量及び化粧シート６の透過率の少なくとも一方が変化すればよい。
【０１４９】
例えば、或る位置での化粧シート６の可視光線透過率を、当該位置よりも鉛直方向ｄ１における上方ｄ１１に位置する他の或る位置での化粧シート６の可視光線透過率よりも低くすることで、下方ｄ１２に位置する非発光領域Ｚ２に近接する位置で化粧シート６からの出射光量を低下させることができる。この演出照明装置２０によれば、発光領域Ｚ１内の明るさを、非発光領域Ｚ２に近接する領域において非発光領域Ｚ２から離間する領域よりも暗くすることができる。この結果、面光源装置２１の存在感を効果的に薄めることができる。
【０１５０】
（第８の変形例）
図５の例では、導光板２１１の取出要素として、凹部２１１ｃを例示した。他の例として、図１７に示すように、取出要素は、導光板２１１に積層された光散乱層２１５とすることができる。光散乱層２１５は、バインダーとして機能する支持層２１５ａと、支持層２１５ａ内に分散した光散乱要素２１５ｂと、を有している。支持層２１５ａは、可視光透過性を有した樹脂から形成され得る。光散乱要素２１５ｂは、反射、屈折、回折等によって、光散乱層２１５内を進行する光の進行方向を変化させる機能を有している。光散乱要素２１５ｂは、支持層２１５ａと異なる屈折率を有していてもよいし、金属等の光反射性を有した材料によって形成されていてもよい。光散乱要素２１５ｂの具体例として、金属化合物、気体を含有した多孔質物質、金属化合物を周囲に保持した樹脂ビーズ、白色微粒子、気泡、周囲と屈折率が異なる粒子が、例示され得る。図１７の例において、導光板２１１内を進む光Ｌ１，Ｌ２は、光散乱層２１５内で光散乱要素２１５ｂと衝突することで進行方向を変化させ、その後、導光板２１１から出射することが可能となる。
【０１５１】
なお、光散乱層２１５の支持層２１５ａの屈折率は、導光板２１１の屈折率以上となっていることが好ましい。光散乱層２１５の支持層２１５ａの屈折率が導光板２１１の屈折率よりも低いと、導光板２１１内を進む光Ｌ３が、導光板２１１と光散乱層２１５との界面で全反射して、光散乱層２１５に入射できない可能性がある。このような光Ｌ３は、入光面２１１ｄから導光板２１１に入射した後、導光板２１１内を反対面２１１ｅまで進むことになる。このような光の存在は、発光体２２０のエネルギー効率が低下させてしまうことになる。支持層２１５ａの屈折率を導光板２１１の屈折率以上とすることで、導光板２１１と光散乱層２１５との界面での全反射を効果的に防止して、光散乱層２１５が取出要素としてより効果的に機能し得る。
【０１５２】
（第９の変形例）
さらに他の例として、図１８に示すように、取出要素として機能する光散乱要素２１５ｂが、導光板本体２１１内に分散していてもよい。図１８に示された導光板２１１では、導光板２１１内を進む光Ｌが、光散乱要素２１５ｂに衝突することで散乱し、導光板２１１から出射することができる。光散乱要素２１５ｂとしては、上述した光散乱要素２１５ｂと同様に構成され得る。
【０１５３】
また、導光板２１１は、複数種類の取出要素を含むようにしてもよい。図１８に示された例において、導光板２１１は、光散乱要素２１５ｂを含有し、さらに、凹部２１１ｃを有している。
【０１５４】
さらに、導光板２１１の各領域での凹部２１１ｃに起因した光散乱能は、一定ではなく、異なっていてもよい。すなわち、導光板２１１の光散乱能が、板面に沿った各領域で変化するようにしてもよい。さらに言い換えると、導光板２１１の或る領域での光散乱能は、当該領域から板面に沿ってずれた他の領域での光散乱能と異なっていてもよい。導光板２１１のパネル面に沿った各領域での光散乱能を変化させることにより、各領域からの出射光量を調節することが可能となる。
【０１５５】
光散乱能は、導光板２１１がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、導光板２１１の板面への法線方向に透過する透過ヘイズ値が、導光板２１１の各領域で一定ではなく、異なる値を持つようになる。ヘイズ値［％］は、ヘイズメーター（村上色彩技術研究所製、製品番号；ＨＭ−１５０）を用いてＪＩＳ  Ｋ７１３６に準拠した方法により測定することができる。
【０１５６】
（第１０の変形例）
これまでは、面光源装置２１が導光板２１１を有する例について説明した。これに対して、図１９に示すように、面光源装置２１は、導光板２１１が省略されていてもよい。なお、図１９の構成は、図５の構成から導光板２１１を省略した構成に相当する。なお、発光体２２０、光拡散シート２１２および反射シート２１３は、支持フレーム７に固定すればよい。
【０１５７】
第１０の変形例によれば、導光板２１１を省略することができるので、コストを削減することができるとともに、面光源装置２１を軽量化して取扱い性を向上させることができる。
【０１５８】
なお、以上において一実施の形態に対する具体例および変形例を説明してきたが、当然に、複数の例を適宜組み合わせて適用することも可能である。
【０１５９】
本開示のいくつかの実施形態を説明したが、これらの実施形態は、例として提示したものであり、開示の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、本開示の範囲や要旨に含まれると同様に、特許請求の範囲に記載された本開示とその均等の範囲に含まれるものである。
【符号の説明】
【０１６０】
１  照明システム
３  ベース照明装置
４  制御部
２０  演出照明装置
【図１】
2020064743.tif 000003
【図２】
2020064743.tif 000004
【図３】
2020064743.tif 000005
【図４】
2020064743.tif 000006
【図５】
2020064743.tif 000007
【図６】
2020064743.tif 000008
【図７】
2020064743.tif 000009
【図８】
2020064743.tif 000010
【図９】
2020064743.tif 000011
【図１０】
2020064743.tif 000012
【図１１】
2020064743.tif 000013
【図１２】
2020064743.tif 000014
【図１３】
2020064743.tif 000015
【図１４】
2020064743.tif 000016
【図１５】
2020064743.tif 000017
【図１６】
2020064743.tif 000018
【図１７】
2020064743.tif 000019
【図１８】
2020064743.tif 000020
【図１９】
2020064743.tif 000021